(57)【要約】【課題】熱交換器の防塵ネットに関し、簡素な構成で、容易に熱交換器の清掃作業やメンテナンスを実施できるようにする。【解決手段】作業機械の熱交換器へと導かれる冷却風の流通経路上に介装された防塵ネット１であって、熱交換器の正面を覆う大きさの開口を形成して熱交換器に並設された額縁状の外枠２と、該開口を縦方向に分割した矩形形状をなして外枠２の内側に嵌め込まれた複数のネット本体３，４と、外枠２の上縁２ａ及び下縁２ｂに設けられ、外枠２内で複数のネット本体３，４のそれぞれを上縁２ａ及び下縁２ｂの延在方向へ摺動自在に支持する複数組のレール５とを備える。【選択図】図１
2007239683.tif 000002
【特許請求の範囲】
【請求項１】
作業機械の熱交換器へと導かれる冷却風の防塵ネットであって、
該熱交換器に並設され該熱交換器の正面を覆う大きさの開口を形成する額縁状の外枠と、
該開口を縦方向に分割した矩形形状をなして該外枠の内側に嵌め込まれた複数のネット本体と、
該外枠の上縁及び下縁に設けられ、該開口の面内で該複数のネット本体のそれぞれを該上縁及び該下縁の延在方向へ摺動自在に支持する複数組のレールと
を備えたことを特徴とする、熱交換器の防塵ネット。
【請求項２】
作業機械の熱交換器へと導かれる冷却風の防塵ネットであって、
該熱交換器に並設され該熱交換器の正面を覆う大きさの開口を形成する額縁状の外枠と、
該開口を横方向に分割した矩形形状をなして該外枠の内側に嵌め込まれた複数のネット本体と、
該外枠の左縁及び右縁に設けられ、該開口の面内で該複数のネット本体のそれぞれを該左縁及び該右縁の延在方向へ摺動自在に支持する複数組のレールと
を備えたことを特徴とする、熱交換器の防塵ネット。
【請求項３】
該複数の防塵ネット同士を互いに固定する固定部材
をさらに備えたことを特徴とする、請求項１又は２記載の熱交換器の防塵ネット。
【請求項４】
該固定部材が、該外枠に対して該複数の防塵ネット同士を互いに固定する
ことを特徴とする、請求項３記載の熱交換器の防塵ネット。
【請求項５】
該複数のネット本体を該外枠に吊り下げるべく該複数のネット本体及び該外枠の上端に形成された係合部
をさらに備えたことを特徴とする、請求項２記載の熱交換器の防塵ネット。
【請求項６】
該防塵ネットが、回転部材を介して該レールに支持されている
ことを特徴とする、請求項１〜５の何れか１項に記載の熱交換器の防塵ネット。
【請求項７】
該ネット本体が、網状のネットと、該ネットの外周端辺に沿って延在して該ネットを固定するネット枠とを有するとともに、
該複数のネット枠の少なくとも何れか一つのネット枠に取り付けられ、該一つのネット枠から他のネット枠の摺動面へ向けて延出するように設けられた清掃用ブラシを備えた
ことを特徴とする、請求項１〜６の何れか１項に記載の熱交換器の防塵ネット。
【発明の詳細な説明】
【技術分野】
【０００１】
本発明は、油圧ショベル等の作業機械に搭載された熱交換器の防塵ネットに関する。
【背景技術】
【０００２】
従来より、油圧ショベルなどの作業機械では、ラジエータやオイルクーラからなる熱交換器へ冷却風を流通させて、エンジン冷却水や作動油を冷却している。例えば、機体の側面に外気を取り込むための開口を設け、その開口の内側に熱交換器を配置するとともにエンジン駆動の冷却ファンで機体外部からの冷却風を吸い込み、その冷却風を熱交換器の内部のコアへ通して冷却がなされる。
【０００３】
ところで、建設工事現場や土木工事現場，建築物等の解体作業の現場等では、作業に伴って埃や粉塵が発生することがある。このような作業現場に置かれた作業機械において、埃や粉塵が混入した外気が冷却風として機体内部へ取り込まれると、熱交換器のコアが目詰まりして冷却効率が低下するおそれがある。そのため、作業機械の機体内部において、熱交換器に対する冷却風の上流側には、埃や粉塵を取り除くための防塵ネットが取り付けられている。
【０００４】
例えば、特許文献１や特許文献２には、熱交換器の前面側に着脱自在の防塵ネットを設けた作業機械が記載されている。これらの技術では、熱交換器の幅方向（左右方向）に分割された二枚の防塵ネット（ネット分割体）が並べて取り付けられており、各防塵ネットが個別に着脱可能となっている。つまり、防塵ネットを分割することで、比較的狭い熱交換器周辺の空間内で防塵ネットの取り付け，取り外しができるようにし、熱交換器へのアクセス性を向上させている。
【特許文献１】特開２００３−３２２４８８号公報
【特許文献２】特許第３５５３７８２号公報
【発明の開示】
【発明が解決しようとする課題】
【０００５】
しかしながら、上述したような従来の防塵ネットを備えた作業機械では、熱交換器の清掃やメンテナンスの際に、防塵ネットを機体外部へ取り外さなければ、熱交換器のコアへ直接アクセスすることができない。したがって、防塵ネットの取り付けや取り外しの手間や時間がかかり、良好なメンテナンス性が得られないという課題がある。
また、上記のような着脱式の防塵ネットは、機体から取り外したときにそれを仮置きしておく場所が必要となる。しかし、例えば、作業機械が土木工事現場等において掘削作業を行っているような場合には、作業機械の周囲全体が、作業にかかる土砂に覆われている場合があり、その作業機械の周囲に仮置き用のスペースをとることができず、熱交換器のメンテナンス作業自体ができないこともある。
【０００６】
本発明は、このような課題に鑑みてなされたもので、簡素な構成で、容易に熱交換器の清掃作業やメンテナンスを実施できるようにした、熱交換器の防塵ネットを提供することを目的とする。
【課題を解決するための手段】
【０００７】
上記目的を達成するため、請求項１記載の本発明の熱交換器の防塵ネットは、作業機械の熱交換器へと導かれる冷却風の防塵ネットであって、該熱交換器に並設され該熱交換器の正面を覆う大きさの開口を形成する額縁状の外枠と、該開口を縦方向に分割した矩形形状をなして該外枠の内側に嵌め込まれた複数のネット本体と、該外枠の上縁及び下縁に設けられ、該開口の面内で該複数のネット本体のそれぞれを該上縁及び該下縁の延在方向へ摺動自在に支持する複数組のレールとを備えたことを特徴としている。
【０００８】
この場合、ネット本体が引き違い窓のように外枠内を左右方向に摺動（スライド移動）することになる。なお、ネット本体を上げ下げ窓のように上下方向へ摺動させたい場合には、複数組のレールを外枠の左右両縁に設けるとともに、複数のネット本体の各々を左右両縁の延在方向へ摺動自在に支持させればよい。
すなわち、請求項２記載の本発明の熱交換器の防塵ネットは、作業機械の熱交換器へと導かれる冷却風の防塵ネットであって、該熱交換器に並設され該熱交換器の正面を覆う大きさの開口を形成する額縁状の外枠と、該開口を横方向に分割した矩形形状をなして該外枠の内側に嵌め込まれた複数のネット本体と、該外枠の左縁及び右縁に設けられ、該開口の面内で該複数のネット本体のそれぞれを該左縁及び該右縁の延在方向へ摺動自在に支持する複数組のレールとを備えたことを特徴としている。
【０００９】
請求項３記載の本発明の熱交換器の防塵ネットは、該複数の防塵ネット同士を互いに固定する固定部材をさらに備えたことを特徴としている。
なお、該固定部材が、該外枠に対して該複数の防塵ネット同士を互いに固定することが好ましい（請求項４）。
また、請求項５記載の本発明の熱交換器の防塵ネットは、該複数のネット本体を該外枠に吊り下げるべく該複数のネット本体及び該外枠の上端に形成された係合部をさらに備えたことを特徴としている。
【００１０】
また、請求項６記載の本発明の熱交換器の防塵ネットは、該防塵ネットが、回転部材を介して該レールに支持されていることを特徴としている。
また、請求項７記載の本発明の熱交換器の防塵ネットは、該ネット本体が、網状のネットと、該ネットの外周端辺に沿って延在して該ネットを固定するネット枠とを有するとともに、該複数のネット枠の少なくとも何れか一つのネット枠に取り付けられ、該一つのネット枠から他のネット枠の摺動面へ向けて延出するように設けられた清掃用ブラシを備えたことを特徴としている。
【発明の効果】
【００１１】
本発明の熱交換器の防塵ネット（請求項１，２）によれば、複数に分割されたネット本体の各々が摺動自在であるため、外枠内でネット本体同士を重ねることにより、開口を部分的に開放することができる。つまり、ネット本体を外枠から取り外すことなく、開放された部分から熱交換器へアクセスできるようになり、熱交換器の清掃やメンテナンスが容易となる。
【００１２】
なお、重ねられたネット本体の外枠内における位置を移動させれば、引き違い窓のように、開放される部分の位置を移動させることができる。また、ネット本体の摺動範囲は外枠の内側のみであるため、例えば防塵ネットの周囲にネット本体の取り外し用の空間が不要であり、スペースを節約できる。ネットの数は任意であるが、例えばネットが二枚であれば開放される部分の広さを開口の約二分の一にすることができ、ネットが三枚あれば約三分の二にすることができる。また、ネット本体は、左右方向（請求項１）又は上下方向（請求項２）へスライドさせるだけでその位置を動かすことができ、操作がきわめて簡単である。
【００１３】
また、ネット本体を取り外す必要がないため、場所を選ばず、いつでも熱交換器の清掃やメンテナンスが行えるという利点もある。
また、本発明の熱交換器の防塵ネット（請求項３）によれば、複数のネット本体の移動を拘束することができる。例えば、開口の全体を閉鎖した状態では、複数のネット本体同士を互いに固定することで、複数のネット本体を外枠に対しても固定することができる。
【００１４】
また、本発明の熱交換器の防塵ネット（請求項４）によれば、作業機械の通常稼働時におけるネット本体のスライド移動や振動を防止することができる。つまり、ネット本体を確実に固定しておくことができる。
また、本発明の熱交換器の防塵ネット（請求項５）によれば、上下方向へスライドしうる複数のネット本体を外枠内の上部側へ吊り下げることができる。これにより、外枠内の下部側からの熱交換器の清掃を容易に行うことができるようになる。
【００１５】
また、本発明の熱交換器の防塵ネット（請求項６）によれば、ネット本体の摺動を円滑にすることができ、使い勝手を高めることができる。
また、本発明の熱交換器の防塵ネット（請求項７）によれば、ネット本体のスライド移動を利用して、ネット本体自体を容易に清掃することができるようになる。これにより、簡単な操作で網状のネットの目詰まりを防止することができる。
【発明を実施するための最良の形態】
【００１６】
以下、図面により、本発明の実施の形態について説明する。
図１〜図５は本発明の一実施形態にかかる熱交換器の防塵ネットを説明するものであり、図１は本防塵ネットの縦断面図（図３のＣ−Ｃ断面図）、図２は本防塵ネットの正面図（図５のＡ矢視図）、図３は熱交換器の清掃時における本防塵ネットの正面図、図４は本防塵ネットの横断面図（図２のＢ−Ｂ断面図）、図５は本防塵ネットが取り付けられた油圧ショベルの斜視図である。
【００１７】
［構成］
（全体構成）
本防塵ネット１は、図５に示す油圧ショベル１０に適用されている。この油圧ショベル１０は、クローラ式の走行装置を装備した下部走行体１１と、下部走行体１１の上に旋回自在に搭載された上部旋回体１２とを備えて構成される。上部旋回体１２の前方側には、ブームやアーム等の作業装置１３が設けられ、後方側にはエンジンルーム１４が形成されている。なお、エンジンルーム１４を覆う機体カバーには、外気を取り込むためのスリット状の開口１８を備えた扉１９が設けられている。
【００１８】
エンジンルーム１４の内部には、油圧ショベル１０の駆動源であるエンジン１５，エンジン１５によって駆動される冷却ファン１６，クーリングパッケージ（熱交換器）１７及び防塵ネット１が設けられている。
冷却ファン１６は、冷却風としての外気を開口１８からエンジンルーム１４内へ取り込む吸い込み式の軸流ファンである。エンジン１５は、この冷却ファン１６よりも冷却風の下流側に配置され、一方、クーリングパッケージ１７は冷却ファン１６よりも上流側に配置されている。
【００１９】
クーリングパッケージ１７は、ラジエータやオイルクーラ，インタクーラ等の複数の熱交換器が重合された冷却装置である。そのコア（中央部）には多数の放熱フィンが形成されており、冷却風をコアに流通させてエンジン冷却水や作動油が冷却される。また、クーリングパッケージ１７のさらに上流側には、冷却風に含まれる埃や粉塵，枯れ葉，虫等を取り除くための防塵ネット１が取り付けられている。
【００２０】
（防塵ネット構成）
防塵ネット１は、図２に示すように、金属材料や樹脂材料からなる額縁状の外枠２と、その内側に嵌め込まれた二枚のネット本体３，４とを備えて構成される。外枠２は、クーリングパッケージ１７の正面と略同等の大きさの矩形の枠組みであり、上縁枠（上縁）２ａ，下縁枠（下縁）２ｂ及び左右の側縁枠２ｃから構成されている。この外枠２は、クーリングパッケージ１７の上流側に並設されており、上縁枠２ａ，下縁枠２ｂ及び左右の側縁枠２ｃによって形成される開口は、クーリングパッケージ１７の正面と平行に配置されている。なお、外枠２の大きさは、扉１９を開放した状態で、冷却風の流通方向（図４中のＡ方向）にエンジンルーム１４の内部を眺めたときに、クーリングパッケージ１７全体が外枠２の内側の開口に収まる（クーリングパッケージ１７が見えない）程度の大きさとなっている。
【００２１】
二枚のネット本体３，４は、それぞれ、外枠２によって形成される開口の半分程度の大きさの、開口を縦方向に分割した矩形形状をなしている。また、これらのネット本体３，４は、外枠２によって形成される開口の面内を摺動（スライド移動）自在に取り付けられている。
すなわち、図１に示すように、上縁枠２ａには平行な二本の上レール５ａが設けられ、下縁枠２ｂにも平行な二本の下レール５ｂが設けられている。上レール５ａ及び下レール５ｂは、上縁枠２ａ及び下縁枠２ｂの延在方向（図２中における左右方向）へ延びるように、左右の側縁枠２ｃ間に形成されている
これらのレール５（上レール５ａ及び下レール５ｂ）により、ネット本体３，４の各々が上縁枠２ａ及び下縁枠２ｂの延在方向へ摺動自在となるように支持されている。つまり、二枚のネット本体３，４が、引き違い窓のように外枠２内を左右に摺動しるうようになっている。
【００２２】
二枚のネット本体３，４は、それぞれ略同一の構成を備えているため、ここでは、一方のネット本体３を取り上げて詳述する。ネット本体３は、図１，２に示すように、金属材料や樹脂材料からなる線材によって縦横に編み込まれた網状のネット３ｂと、ネット３ｂの全外周端辺を固定するネット枠３ａとから構成されている。ネット３ｂの網目は、冷却風を略抵抗なく通過させつつ外気中の埃や粉塵を捕捉しうる程度の目の細かさに設定されている。
【００２３】
また、ネット枠３ａのうちのネット３ｂの左右両側には、図４に示すように、他方のネット枠４ａの摺動面へ向けて延出するように形成された清掃ブラシ８が取り付けられている。この清掃ブラシ８は、ネット４ｂの網目に詰まりかけた埃や塵を掃き出すためのブラシである。
例えば図４中において、ネット本体３を左方向（または、ネット本体４を右方向）へスライドさせると、ネット本体３側に取り付けられた清掃ブラシ８の先端がネット本体４のネット４ｂ面に接触し、ネット４ｂが清掃される。なお、これと同時に、ネット本体４側に取り付けられた清掃ブラシ８の先端がネット本他３のネット３ｂ面に接触し、ネット３ｂも清掃されるようになっている。
【００２４】
また、ネット枠３ａの下端部には複数個のころ（回転部材）７が取り付けられている。図１に示すように、ころ７は下レール５ｂ上に支持されており、下レール５ｂの上をころ７が転がって、ネット本体３がレール５方向へ摺動するようになっている。なお、ネット枠３ａの上端部は、上レール５ａに対して遊び代（寸法の余裕）を有して嵌め込まれている。
【００２５】
なお、各ネット本体３，４の横幅に着目すると、これらのネット本体３，４は開口を縦に二分割した大きさよりも若干横方向に長い矩形に形成されており、図２に示すように、ネット本体３，４をそれぞれ、外枠２内における左右の側縁枠２ｃに接触させたときに、ネット枠３ａの左端部とネット枠４ａの右端部とが、正面視において重なるような大きさになっている。また、上記のネット枠３ａ及び４ａの重合部分には、固定蝶ネジ６が取り付けられており、この固定蝶ネジ６を締結することで、ネット本体３，４同士が互いに固定されるようになっている。
【００２６】
［作用・効果］
以上のような構成により、本実施形態における熱交換器の防塵ネットによれば以下のような作用・効果を奏する。
（通常時）
通常時には、図２に示すように、二枚のネット本体３，４がそれぞれ、外枠２内における左右の側縁枠２ｃに接触する位置に配置され、固定蝶ネジ６が締結される。これにより、外枠２によって囲まれた開口の略全体がネット３ｂによって覆われる。外枠２の大きさは、冷却風の流通方向に対するクーリングパッケージ１７の正面を覆う大きさとなっているため、クーリングパッケージ１７のコアへ流通しようとする冷却風に含まれる埃や粉塵を、ネット３ｂによって取り除くことができる。
【００２７】
また、ネット３ｂの網目は、冷却風を略抵抗なく通過させる程度の目の細かさに設定されているため、クーリングパッケージ１７における冷却性能を確保することができる。なお、二枚のネット本体３，４が固定蝶ネジ６によって互いに固定されているため、ネット本体３，４のガタつきや振動を抑えることができる。
【００２８】
（清掃作業時）
一方、クーリングパッケージ１７の清掃時には、固定蝶ネジ６の締結が緩められ、二枚のネット本体３，４がそれぞれ、外枠２の開口面内を摺動自在となる。ここで例えば、図２に示す状態の防塵ネット１においてネット本体４を図中右側へ移動させると、図３に示すように、外枠２の略右半分の範囲に二枚のネット本体３，４が重ねられ、略左半分の範囲が開放されることになる。したがって、この開放された部分からクーリングパッケージ１７の略左半分側へのアクセスが可能となり、容易にコアの清掃やメンテナンスを行うことができる。
【００２９】
また同様に、図２に示す状態の防塵ネット１においてネット本体３を図中左側へ移動させると、外枠２の略左半分の範囲に二枚のネット本体３，４が重ねられ、略右半分の範囲が開放される。したがって、クーリングパッケージ１７の略右半分側へのアクセスも可能である。
また、ネット本体４をスライド移動させたときには、ネット本体４側の清掃ブラシ８によりネット３ｂが清掃されるとともに、ネット本体３側の清掃ブラシ８によりネット４ｂが清掃される。つまり、ネット本体３，４の開放操作のみでネット３ｂ，４ｂ面の清掃を簡単に行うことができる。
【００３０】
このように、本防塵ネット１によれば、ネット本体３，４を外枠２から取り外すことなく、横方向へスライド移動させるだけで、クーリングパッケージ１７へアクセス可能なスペースを確保することができ、容易に清掃やメンテナンスが行えるという利点がある。また、ネット本体３，４を重ね合わせた状態とすることで、外枠２の内部のうちの約二分の一の空間を開放させることができる。さらに、ネット本体３，４が外枠２内で摺動可能に支持されているため、例えば引き違い窓のように外枠２の左側を開放することができ、または右側を開放することができる。
【００３１】
また、ネット本体３，４は外枠２内のみで摺動するものであるから、外枠２の周囲に空きスペースがなくても、クーリングパッケージ１７へのアクセスが可能である。したがって、エンジンルーム１４内のスペースを節約することができる。
また、ネット本体３，４を外枠２から取り外す必要がないため、場所を選ばず、いつでもクーリングパッケージ１７の清掃や点検を行うことができる。これにより、たとえ油圧ショベル１０の周囲に防塵ネット３，４の仮置き用のスペースがない場合であっても、メンテナンスが実施可能である。
また、ネット枠３ａの下端部にころ７が取り付けられているため、ネット本体３，４の摺動を円滑にすることができ、使い勝手を高めることができる。
【００３２】
［変形例］
以上、本発明の実施形態について説明したが、本発明はこれらの実施形態に限定されるものではなく、本発明の趣旨を逸脱しない範囲で種々変形して実施することができる。
上述の実施形態では、二枚のネット本体３，４を引き違い窓のように横方向へスライドさせる構成となっているが、例えば上げ下げ窓のように、縦方向へスライドさせる構成とすることも考えられる。
【００３３】
この場合、図６に示すように、額縁状の外枠２２と、その内側に嵌め込まれた二枚のネット本体２３，２４とを備えた構成の防塵ネット２１とする。外枠２２は、上縁枠（上縁）２２ａ，下縁枠（下縁）２２ｂ及び左右の側縁枠２２ｃから構成されており、これらによって囲まれた開口の面内を摺動自在にネット本体２３，２４が取り付けられている。なお、左右の側縁枠２２ｃのそれぞれには、鉛直方向へ延びるようにレールが形成されている。
【００３４】
各ネット本体２３，２４は、上述の実施形態と同様に、網状のネット２３ｂ，２４ｂとその周囲を固定するネット枠２３ａ，２４ａとから構成されている。図６に示すように、各ネット本体２３，２４がそれぞれ、外枠２２の上縁枠２２ａ及び下縁枠２２ｂに接触する位置に配置されるときに、ネット枠２３ａ，２４ａの重合部分には、固定蝶ネジ２６が取り付けられるようになっている。この固定蝶ネジ２６を締結することで、ネット本体２３，２４同士が互いに固定されるようになっている。
【００３５】
また、ネット本体２４の下部には、各ネット本体２３，２４を完全に重合させた状態で固定用蝶ネジ２６の締結位置に対応する位置にネジ穴２７が形成されている。このネジ穴２７は、開口を開放した状態で各ネット本体２３，２４同士の移動を拘束するためのものである。
さらに、上縁枠２２ａとネット枠２３ａとの重合部分にも、第２固定用蝶ネジ２８が取り付けられるようになっている。この第２固定用蝶ネジ２８は、ネット２３の外枠２２に対する移動を拘束するものである。
【００３６】
上記のような構成により、本変形例にかかる防塵ネット２１は、上述の実施形態のものと同様の作用・効果を奏するものとなる。また、固定用蝶ネジ２６及び第２固定用蝶ネジ２８を備えるという簡素な構成で、ネット本体２３，２４を上縁枠２２ａに吊り下げることができ、上記の変形例と同様に、ネット本体２３，２４の下方への落下（ずり落ち）を防止することができる。
【００３７】
［その他］
なお、上記の変形例において、固定用蝶ネジ２６やネジ穴２７，第２固定用蝶ネジ２８を用いるのではなく、他の手段を用いてネット本体２３，２４の下方への落下を防止するような構成としてもよい。例えば、ネット本体２３，２４同士、及び、上縁枠２２ａとネット本体２３とを係合させるような係合部を形成することも考えられる。
【００３８】
この場合、図７に示すように、上縁枠２２ａとネット枠２３ａとの間に、互いに係合しうる鉤形形状の係止部２９を形成しておく。また同様に、ネット枠２３ａとネット枠２４ａとの間においても、互いに係合しうる鉤形の第２係止部３０を形成する。なお、各係止部２９及び第２係止部３０においては、レールに対する各ネット本体２３，２４の取り付けの遊びを利用して係合やその解除がなされるようになっている。
【００３９】
このような構成の場合であっても、上記の変形例と同様に、簡素な構成でネット本体２３，２４の下方への落下を防止することが可能である。
また、上述の実施形態及びその変形例では、二枚のネット本体が外枠の内側に嵌め込まれているが、ネット本体の数を増やしてもよい。例えば、外枠２によって形成される開口の三分の一程度の大きさのネット本体を三枚用意すれば、開放される部分の広さをより広く（開口の約三分の二に）することができる。
【図面の簡単な説明】
【００４０】
【図１】本発明の一実施形態としての熱交換器の防塵ネットの縦断面図（図３のＣ−Ｃ断面図）である。
【図２】本防塵ネットの正面図（図５のＡ矢視図）である。
【図３】熱交換器の清掃時における本防塵ネットの正面図である。
【図４】本防塵ネットの横断面図（図２のＢ−Ｂ断面図）である。
【図５】本防塵ネットが適用された作業機械の斜視図である。
【図６】本発明の変形例としての熱交換器の防塵ネットの正面図である。
【図７】本発明の変形例における防塵ネットの縦断面図である。
【符号の説明】
【００４１】
１  防塵ネット
２  外枠
２ａ  上縁枠
２ｂ  下縁枠
２ｃ  側縁枠
３，４  ネット本体
３ａ，４ａ  ネット枠
３ｂ，４ｂ  ネット
５  レール
５ａ  上レール
５ｂ  下レール
６  固定蝶ネジ（固定部材）
７  ころ（回転部材）
１０  油圧ショベル（作業機械）
１１  下部走行体
１２  上部旋回体
１３  作業装置
１４  エンジンルーム
１５  エンジン
１６  冷却ファン
１７  クーリングパッケージ（熱交換器）
【図１】
2007239683.tif 000003
【図２】
2007239683.tif 000004
【図３】
2007239683.tif 000005
【図４】
2007239683.tif 000006
【図５】
2007239683.tif 000007
【図６】
2007239683.tif 000008
【図７】
2007239683.tif 000009